(57)【要約】【課題】付加的なメニュー関連データ、とりわけサムネイル画像に関連するデータを標準化されたサイズを有するデータブロックにサムネイル画像を格納する、ブルーレイ書き換え可能ディスク標準又はそれの拡張バージョンに従う媒体のような媒体に格納する問題を解決することである。【解決手段】上記課題は、メニューアイテムデータに関する制御データはインデックスファイルに格納され、メニューアイテムデータはデータファイル内で一定のサイズの又は一定のサイズの整数倍のサイズのブロックに格納され、付加データは相応のメニューアイテムデータと同じデータファイルの同じブロックに格納され、付加データはインデックスファイルから参照されることによって解決される。【選択図】図１
2004342302.tif 000002
【特許請求の範囲】
【請求項１】
光記憶媒体の専用位置に格納されるメニューアイテムデータ（Ｐ）に関連する付加データ（Ｄ０，．．．，Ｄ２）を格納するための方法であって、前記メニューアイテムデータ（Ｐ）はデータファイル（ＴＤＴ）に格納されている、光記憶媒体の専用位置に格納されるメニューアイテムデータ（Ｐ）に関連する付加データ（Ｄ０，．．．，Ｄ２）を格納するための方法において、
前記メニューアイテムデータ（Ｐ）に関する制御データはインデックスファイル（ＴＩＤＸ）に格納され、
前記メニューアイテムデータ（Ｐ）は前記データファイル（ＴＤＴ）内で一定のサイズの又は一定のサイズの整数倍のサイズのブロック（ＴＮＢ＿０，．．．，ＴＮＢ＿ｎ）に格納され、
前記付加データ（Ｄ０，．．．，Ｄ２）は相応のメニューアイテムデータ（Ｐ）と同じ前記データファイル（ＴＤＴ）の同じブロック（ＴＮＢ＿０，．．．，ＴＮＢ＿ｎ）に格納され、
前記付加データは前記インデックスファイル（ＴＩＤＸ）から参照される、光記憶媒体の専用位置に格納されるメニューアイテムデータ（Ｐ）に関連する付加データ（Ｄ０，．．．Ｄ２）を格納するための方法。
【請求項２】
データファイル（ＴＤＴ）の付加データ（Ｄ０，．．．，Ｄ２）を指示するインデックスファイル（ＴＩＤＸ）におけるレファレンスは前記データファイル（ＴＤＴ）におけるメニューアイテムデータ（Ｐ）の量又は前記付加データ（Ｄ０，．．．Ｄ２）の量又は使用されないデータ（Ｘ）の量を含む、請求項１記載の方法。
【請求項３】
データファイル（ＴＤＴ）はデータブロック（ＴＮＢ＿０，．．．，ＴＮＢ＿ｎ）だけを含む、請求項１又は２記載の方法。
【請求項４】
メニューアイテムデータ（Ｐ）は画像データを含む、請求項１〜３のうちの少なくとも１項記載の方法。
【請求項５】
メニューアイテムデータ（Ｐ）は圧縮されたフォーマットで存在し、付加データ（Ｄ０，．．．，Ｄ２）は圧縮されていないフォーマットで同じメニューアイテムデータ（Ｐ）から生成される統計的データを含む、請求項１〜４のうちの少なくとも１項記載の方法。
【請求項６】
記憶媒体は書き換え可能である、請求項１〜５のうちの少なくとも１項記載の方法。
【請求項７】
光記憶媒体はブルーレイディスク書き換え可能フォーマット標準に従う、請求項１〜６のうちの少なくとも１項記載の方法。
【請求項８】
付加データは相応のメニューアイテムデータから分離されてデータファイルの同じブロックの端部に格納される、請求項１〜７のうちの少なくとも１項記載の方法。
【請求項９】
メニューアイテムデータ（Ｐ）及びこのメニューアイテムデータ（Ｐ）に関連する付加データ（Ｄ０，．．．，Ｄ２）を有するメニュー関連データを格納又は光記憶媒体から検索するための装置において、
該装置は、
前記メニュー関連データを前記媒体のデータブロック（ＴＮＢ＿０，．．．，ＴＮＢ＿ｎ）から読み出すための手段を有し、該データブロックは特定のサイズ又は特定のサイズの整数倍のサイズを有し、さらに、
前記メニューアイテムデータ（Ｐ）に関連する少なくとも前記付加データ（Ｄ０，．．．，Ｄ２）を前記メニューアイテムデータ（Ｐ）と同じ媒体の同じデータブロック（ＴＮＢ＿２）に格納するための手段を有することを特徴とする、メニューアイテムデータ（Ｐ）及びこのメニューアイテムデータ（Ｐ）に関連する付加データ（Ｄ０，．．．，Ｄ２）を有するメニュー関連データを格納又は光記憶媒体から検索するための装置。
【請求項１０】
さらに、メニューアイテムデータ（Ｐ）及び該メニューアイテムデータ（Ｐ）に関連する付加データ（Ｄ０，．．．，Ｄ２）を媒体の同じデータブロック（ＴＮＢ＿２）に格納ための手段を有し、前記メニューアイテムデータ（Ｐ）は圧縮されたフォーマットで存在し、前記付加データ（Ｄ０，．．．，Ｄ２）は圧縮されていないフォーマットで同じメニューアイテムデータ（Ｐ）から生成される統計的データを含む、請求項９記載の装置。
【発明の詳細な説明】
【技術分野】
【０００１】
本発明は、光記憶媒体の専用位置に格納されるメニューアイテムデータに関連する付加データを格納するための方法であって、メニューアイテムデータはデータファイルに格納されている、光記憶媒体の専用位置に格納されるメニューアイテムデータに関連する付加データを格納するための方法及びメニューアイテムデータ及びこのメニューアイテムデータに関連する付加データを有するメニュー関連データを格納又は光記憶媒体から検索するための装置に関する。別の言い方をすれば、本発明は付加情報、例えばメニュー又はサムネイル画像に関連する情報をブルーレイディスク又はこれに匹敵するデータ格納構造を有する他の媒体に格納するための方法を関する。
【背景技術】
【０００２】
光媒体は大量のデータを格納するための今日の有利なソリューションである。特に写真又は映画のようなデジタルヴィジュアルデータは高いストレージキャパシティを必要とする。光媒体、例えばデジタルバーサタイルディスク（ＤＶＤ）においては、多くの画像、ビデオ及びオーディオストリームが単一の媒体に格納されうる。大衆消費電子製品における光媒体のための新しいストレージテクノロジ及びフォーマットが提案され、標準化され続けており、それらのうちの１つがいわゆるブルーレイディスク（Ｂｌｕ−Ｒａｙ ｄｉｓｃ）テクノロジである。これは以前の普通の光ディスクよりも小さい格納構造及びそれゆえより高いストレージキャパシティを提供する。
【０００３】
媒体により多くのコンテンツが格納されるにつれて、コンテンツを管理することの問題が生じ、これはコンテントマネージメントシステムの様々な手段により解決されている。よって、媒体に格納されたコンテントの素早いオーバービューが与えられうる。通常は媒体に格納された電子メニュー又はインデックスのためのデータが存在し、これらのデータがメニューを制御し、例えばスクリーンにディスプレイされる。ヴィジュアルデータにおいては、静止画像、いわゆるサムネイル画像及び/又は媒体に格納されたＡＶデータから生成される及びこのようなＡＶデータにリンクされた短いビデオシークエンスを含むヴィジュアルメニューを有するのは普通である。これらのヴィジュアルメニューデータは通常はデータ量を低減し、比較的速いアクセスを達成するために非可逆フォーマットで格納される。媒体がコンテントを保持すればするほど、ますますメニューデータが必要になり、メニューが長くなればなるほど、メニューアクセスタイムも長くなる。さらに、拡張されたメニューの可能性、例えば自動メニュー処理、メニュー組織化又は他の目的のためのメニューデータの利用を有することが望ましいだろう。普通のメニュー目的のためにはサムネイル画像品質が低下するのは広く受け入れられているが、拡張されたメニュー目的のためにはオリジナル詳細画像からしか検索できないサムネイル画像に関する付加情報が利用可能であることが要求されるだろう。例えばカラーヒストグラム、輝度ヒストグラム、動きベクトル等々のような統計的な又は他のデータである。
【０００４】
インデックスデータはたびたびアクセスされ、しばしば単一アイテムが付加され又は削除される。インデックスへの素早いアクセスを達成するために、インデックスデータがたびたび媒体の専用領域に、そして専用ファイルに格納される。
【０００５】
異なるフォーマット及び組織化タイプはメニューデータの格納のために利用される。サムネイル画像に対しては符号化フォーマットは比較的多くの詳細を与えるが比較的高いデータ量を与えるビットマップか、又は、画像におけるディティールを圧縮するが、ビットマップに比べてデータ量をドラスティックに低減するＪＰＥＧオーガニゼーション（Ｊｏｉｎｔ Ｐｈｏｔｏｇｒａｐｈｉｃ Ｅｘｐｅｒｔ Ｇｒｏｕｐ）によって標準化されているＪＦＩＦ（ＪＰＥＧファイル相互交換フォーマット）のいずれかである。比較的短い波長を有するレーザにより与えられる利点を利用する光記憶媒体の新しいテクノロジは現在標準化の最中であり、「ブルーレイ」ディスクテクノロジとして知られている。
【０００６】
さらに更なるメニュー処理又はコンテント管理方法、例えば自動サムネイルグルーピング又は他の自動画像処理のための画像解析のためにサムネイル画像を利用するのはオーディオヴィジュアル（ＡＶ）データ記憶媒体、例えば普通のＤＶＤのための周知の方法である。大抵の画像処理方法には画像に関する詳細な統計的情報、例えば色又は輝度ヒストグラムを有することが必要である。この詳細な情報は、上記のブルーレイ規格によるサムネイル画像のようなＪＦＩＦフォーマットで格納されている画像から得るのは難しい。といのも、ディティールの圧縮はサムネイル画像における情報コンテンツの低減を意味するからである。今日のブルーレイ標準は付加的なサムネイル関連データの格納を許容してもいない。
【発明の開示】
【発明が解決しようとする課題】
【０００７】
本発明の課題は、付加的なメニュー関連データ、とりわけサムネイル画像に関連するデータを標準化されたサイズを有するデータブロックにサムネイル画像を格納する、ブルーレイ書き換え可能ディスク標準又はそれの拡張バージョンに従う媒体のような媒体に格納する問題を解決することである。
【課題を解決するための手段】
【０００８】
上記課題は、方法においては、
メニューアイテムデータに関する制御データはインデックスファイルに格納され、
メニューアイテムデータはデータファイル内で一定のサイズの又は一定のサイズの整数倍のサイズのブロックに格納され、
付加データは相応のメニューアイテムデータと同じデータファイルの同じブロックに格納され、
付加データはインデックスファイルから参照されることによって解決され、
上記課題は、装置においては、
装置は、
メニュー関連データを前記媒体のデータブロックから読み出すための手段を有し、このデータブロックは特定のサイズ又は特定のサイズの整数倍のサイズを有し、さらに、
メニューアイテムデータに関連する少なくとも付加データをメニューアイテムデータと同じ媒体の同じデータブロックに格納するための手段を有することによって解決される。
【発明を実施するための最良の形態】
【０００９】
本発明は請求項１に開示された方法を利用して付加的なメニュー関連データ、とりわけサムネイル画像に関連するデータを標準化されたサイズを有するデータブロックにサムネイル画像を格納する、ブルーレイ書き換え可能ディスク標準又はそれの拡張バージョンに従う媒体のような媒体に格納する問題を解決する。よって、本発明は標準の改善を提供する。本発明の記憶媒体は請求項７に開示されており、この方法を利用する装置は請求項９に開示されている。
【００１０】
本発明によれば、サムネイル画像に関連する付加データセットはサムネイル画像データと同じデータブロック、例えばブルーレイの場合にはサムネイルデータファイルにおいてｔｎ＿ブロックの剰余に格納され、さらにパラメータは相応の制御ファイル、例えばサムネイルインデックスファイルに導入され、前記データセットのサイズを表す。
【００１１】
本発明の有利な実施形態は従属請求項、以下の記述及び図面に開示されている。
【００１２】
データファイルの付加データを指示するインデックスファイルにおけるレファレンスはデータファイルにおけるメニューアイテムデータの量又は付加データの量又は使用されないデータの量を含む。
【００１３】
データファイルはデータブロックだけを含む。
【００１４】
メニューアイテムデータは画像データを含む。
【００１５】
メニューアイテムデータは圧縮されたフォーマットで存在し、付加データは圧縮されていないフォーマットで同じメニューアイテムデータから生成される統計的データを含む。
【００１６】
記憶媒体は書き換え可能である。
【００１７】
光記憶媒体はブルーレイディスク書き換え可能フォーマット標準に従う。
【００１８】
付加データは相応のメニューアイテムデータから分離されてデータファイルの同じブロックの端部に格納される。
【００１９】
さらに、メニューアイテムデータ及びメニューアイテムデータに関連する付加データを媒体の同じデータブロックに格納ための手段を有し、メニューアイテムデータは圧縮されたフォーマットで存在し付加データは圧縮されていないフォーマットで同じメニューアイテムデータから生成される統計的データを含む。
【実施例】
【００２０】
本発明の実施例は添付された図面を参照しつつ記述される。図１は多数のサムネイルブロックを含むサムネイルデータファイルの構造及び本発明によるサムネイルブロックの構造を示す。
【００２１】
書き換え可能なブルーレイディスクに対する標準バージョン１．０ ２００２年６月は、サムネイル画像がＪＰＥＧフォーマットで専用ファイル、すなわち拡張「ｔｉｄｘ」を有するサムネイルインデックスファイル及び拡張「ｔｄｔ１」又は「ｔｄｔ２」を有するサムネイルデータファイルに格納されていることを定義する。「ｔｄｔ１」ファイルと「ｔｄｔ２」ファイルとの間の差はここでは重要ではないので、上記のブルーレイディスク標準のより古いバージョンの場合のように、拡張「ｔｄｔ」がここではサムネイルデータファイルに対して使用される。例示的なサムネイルインデックスファイルＴＩＤＸが相応のサムネイルデータファイルＴＤＴと共に図１には示されている。
【００２２】
サムネイルデータファイルＴＤＴ内では、画像データはブロックＴＮＢ＿０，．．．，ＴＮＢｎに格納され、サムネイルブロック（ｔｎ＿ブロック）と呼ばれており、画像毎に１つのブロックを有する。これによって例えば編集又は画像の付加又は削除のために単一のサムネイル画像にアクセスすることがより容易になる。標準の現在のバージョンは、ｔｎ＿ブロックのサイズは１０２４ビットの整数倍であると定義しており、全てのｔｎ＿ブロックは同じサイズを有するサムネイルデータファイル内にある。画像データＰは必ずしも１０２４ビットの倍数ではないので、通常は現在使用されていない各サムネイルブロックの端部には多数の剰余ビットＸが存在する。サムネイル画像及び他の含まれるデータのためのｔｎ＿ブロックアドレス指定情報は相応のサムネイルインデックスファイルのコンテンツから計算されうる。
【００２３】
本発明によれば、例えば画像コンテンツ又は画像に関連する短いテクスト又はタグに関する詳細な統計的情報のようなサムネイル画像に関連するなんらかの付加的情報は、サムネイル画像と一緒に光媒体に格納され、この光媒体はブルーレイディスク標準に従い、該標準の今日のバージョンのほんの少しのエンハンスメントに従う。同じように、メニューデータに関連する付加データを格納する開示された方法は標準化されたサイズのブロックにメニューデータを格納する全ての媒体に適用されうる。同じように、これは付加データへのアクセスを簡素化し、ストレージエリアをセーブする。なぜなら、特別なデータブロックが付加データに割り当てられる必要がないからである。とりわけ、本発明は、サムネイル画像に関連する付加データがサムネイルデータファイルにおいてサムネイル画像に相応するｔｎ＿ブロックの端部の剰余部分に格納されることを提案する。図１に示された例示的なサムネイルデータファイルＴＤＴは複数のｔｎ＿ブロックＴＮＢ＿０，．．．，ＴＮＢ＿ｎを含み、例示的なｔｎ＿ブロックＴＮＢ＿２内のデータ構造も示されている。このｔｎ＿ブロックＴＮＢ＿２はサムネイル画像データＰ及びデータブロックＤ０、Ｄ１、Ｄ２に構造化されている付加データ及び剰余部分Ｘを含む。この剰余部分Ｘはｔｎ＿ブロックＴＮＢ＿２の全サイズを１０２４ビットの倍数となるように充填する。さらに、図１はサムネイルデータファイルＴＤＴに関連するサムネイルインデックスファイルＴＩＤＸを示している。このサムネイルインデックスファイルＴＩＤＸは以下に記述される新しいパラメータも含む。
【００２４】
【表１】
2004342302.tif 000003
【００２５】
テーブル１は例示的にサムネイルインデックスファイルＴＩＤＸの詳細な構造を示し、さらにサムネイル画像に対するｎｕｍｂｅｒ＿ｏｆ＿ｄａｔａと呼ばれる付加的パラメータがどのようにサムネイルデータファイルＴＤＴに相応してサムネイルインデックスファイルＴＩＤＸに導入されうるのかを示す。前記パラメータは付加データセットのデータブロックのナンバーを表す。テーブル１ではｎｕｍｂｅｒ＿ｏｆ＿ｄａｔａ＿１及びｎｕｍｂｅｒ＿ｏｆ＿ｄａｔａ＿２はそれぞれ「ｔｄｔ１」及び「ｔｄｔ２」ファイルに関連する。
【００２６】
テーブル２は本発明によるサムネイルデータファイルの構造を示す。あるサムネイル画像に対して付加データが格納されていないならば、パラメータｎｕｍｂｅｒ＿ｏｆ＿ｄａｔａは本発明の１つの実施形態ではゼロでよいし、もしくは、他の実施形態では完全に欠けていてもよい。この第２の実施形態はブルーレイディスク標準の今日のバージョンに従っている。
【００２７】
【表２】
2004342302.tif 000004
【００２８】
本発明による装置はサムネイル関連データを例えば請求項７に開示されたような媒体から読み出すようにリクエストされ、テーブル１にリストアップされた個々のサムネイルインデックスファイルを段階的に進んでいく。重要なステップだけがここでは例示的に記述されている。第１のステップではこの装置は格納されたサムネイル画像の総数を与えるパラメータ「ｌｅｎｇｔｈ」を読み出す。もしこのパラメータがゼロではないならば、この装置は４つのより多くのパラメータを読み出す。
【００２９】
これらのパラメータのうちの第１は第１のタイプのサムネイルのナンバーを与える（ｎｕｍｂｅｒ＿ｏｆ＿ｔｈｕｍｂｎａｉｌｓ＿１）、
第２のパラメータは関連するサムネイルデータブロックのナンバーを与える（ｎｕｍｂｅｒ＿ｏｆ＿ｔｎ＿ｂｌｏｃｋｓ＿１）、このブロックは特定のサイズを有する、
第３のパラメータは第２のタイプのサムネイルのナンバーを与える（ｎｕｍｂｅｒ＿ｏｆ＿ｔｈｕｍｂｎａｉｌｓ＿２）、
第４のパラメータは関連するサムネイルデータブロックのナンバーを与える（ｎｕｍｂｅｒ＿ｏｆ＿ｔｎ＿ｂｌｏｃｋｓ＿２）。
【００３０】
上記の第１のタイプと第２のタイプとの間の差異は本発明にとっては重要ではない。後続のプロシージャは両方の上記タイプのサムネイルに対して等しく実行され、標準の将来のバージョンにおいて更に別のタイプに拡張されうるので、このプロシージャはここでただ一度だけ記述される。ループは先に読み出されたパラメータｎｕｍｂｅｒ＿ｏｆ＿ｔｈｕｍｂｎａｉｌｓを使用して各サムネイル画像に対して実行される。このループは画像データサイズ及びアドレス位置を決定し、この結果、サムネイル画像データは記憶媒体から読み出すために位置を突き止められうる。
【００３１】
今や、別のパラメータｎｕｍｂｅｒ＿ｏｆ＿ｄａｔａが読み出され、このパラメータは現在のサムネイル画像に関連し、この現在のサムネイル画像に関連する付加データの量を与える。本発明の１つの実施形態では、データの量はビット又はバイトのような物理的格納単位で明記される。本発明の別の実施形態では、それは特定のサイズのデータブロックのナンバーとして明記されうる。現在のサムネイル画像に関連する付加データはテーブル２に示されているように関連画像データの後ろに物理的に配置される。
【００３２】
有利には付加サムネイル画像関連データをサブネイル画像コンテンツの自動解析のために使用することができ、これは自動コンテント管理システム、例えば論理的にコヒーレントな部分への記録されたＡＶデータのセグメンテーションのための自動フィーチャ抽出又は自動キーフレームクラスタリングに対する基礎として使用されうる。付加データは一連の圧縮されていない画像から計算されるカラー又は輝度ヒストグラム、重み付けヒストグラム、動きベクトルのような統計的データも、フレームナンバー、他のデータへのリンク、記述テクスト、記録用データ等々のようなハイレベルコンテント管理情報も含みうる。統計的データは圧縮されていないＡＶデータから生成されうるが、もし適用可能であるならば例えば計算時間をセーブするために圧縮されたサムネイル画像データから生成されるデータを格納することが有利であろう。
【００３３】
本発明から利益を受ける特殊な適用事例は例えばコンテントベースのビデオブラウザを含むビジュアルサマリーシステム（Ｖｉｓｕａｌ Ｓｕｍｍａｒｙ Ｓｙｓｔｅｍ）であり、データベースからユーザにとって関心のあるビデオマテリアルを素早く選択しビデオドキュメンツ内で効率的にナビゲートするための手段を提供する。キーフレーム自動クラスタリングのようなＤＶＤにおいて周知のビジュアルサマリーシステムの様々な機能はブルーレイディスクにも適用されうる。自動クラスタリング処理はキーフレームフィーチャデータを必要とし、このキーフレームフィーチャデータは、例えば記録しながらキーフレーム抽出の間に発生され、本発明の方法を使用してディスクに格納されうる。各キーフレームはサムネイル画像に変換され、それの関連フィーチャデータはサムネイル画像データと共にパックされ、この結果、エンハンスドサムネイルが生成され、ディスクに格納される。圧縮の間にこれらのフィーチャデータを生成し、例えばブルーレイディスクに格納するのはこれらのデータを再計算するよりも通常は効率的である。それゆえ、例えばＤＶＤのために既に開発されているようなヴィジュアルサマリーの自動生成のためのツールもブルーレイディスクのために使用でき、例えば次のようなステップで実現される：最初にビデオショットのセグメント化及び各ショットに対するキーフレームの抽出、第２に画像フィーチャに基づいてカラーヒストグラムのようなキーフレーム画像フィーチャを計算して自動クラスタリングプロセスによって類似のキーフレームをグループ化し、次に最終的な主観的なキーフレームを選択及び分類する。これは限定された個数のキーフレーム画像によりビデオを表現するための自動化された方法を提供する。
【００３４】
キーフレーム抽出器により生成されるキーフレーム画像は通常はビットマップフォーマットであろう。これらはこれらを収縮しこれらをブルーレイディスクシステムにサムネイル画像として格納するためにＪＰＥＧフォーマットに変換され、これによって多くのイメージメッセージを失うだろう。本発明によるこのようなエンハンスドサムネイルを実現するために、ｍｅｎｕ．ｔｉｄｘ、ｍａｒｋ．ｔｉｄｘ及びｔｎ＿ｂｌｏｃｋのシンタックスが上述のように修正される。現在のブルーレイディスク規格に定義された相応のシンタックスと比べると、エンハンスドシンタックスは現在のサムネイル画像構造を保存しうるが、サムネイル画像のための付加データを格納するためにエクストラビットを挿入する。新しいシンタックスによれば、各サムネイル画像は多数の付加データセットに対してゼロを有しうる。剰余データＸが別のデータセットを格納するのに十分ではない場合には、ｔｎ＿ｂｌｏｃｋのサイズも１インクリメント、例えば１０２４ビットによって拡大される。
【００３５】
各サムネイル画像の付加フィーチャデータによって、ユーザはサムネイルのグループ化結果に基づいて主観的にビデオコンテンツをサマライズする。エンハンスドサムネイルに基づいて、自動クラスタリング方法は各プレイリスト内で適用されうるだけではなく、異なるプレイリストの間でも適用されうる。これによってユーザはブルーレイディスク上のプレイリストの全てのサムネイル画像及びクリップインフォをブラウズできる。
【００３６】
原理的には、あらゆる種類のデータがサムネイルブロックに付加データとして付加されうる。普通の実施例として、サムネイル画像は不可逆圧縮フォーマットを使用して圧縮され、付加データセットは失われた情報又はその部分を有しうる。それゆえ、本発明の方法を事前記録媒体（pre-recorded media）にも使用すると有利であろう。別の実施例としては、ユーザがサムネイル画像にいくつかの短いテクスト注釈又は識別又は分類データを自分の判断規準に従って付加することができる。
【図面の簡単な説明】
【００３７】
【図１】多数のサムネイルブロックを含むサムネイルデータファイルの構造及び本発明によるサムネイルブロックの構造を示す。
【符号の説明】
【００３８】
Ｐ  メニューアイテムデータ、サムネイル画像データ
Ｄ０，．．．，Ｄ２  付加データ、データブロック
ＴＤＴ  サムネイルデータファイル
ＴＩＤＸ  サムネイルインデックスファイル
ＴＮＢ＿０，．．．，ＴＮＢ＿ｎ  ブロック
Ｘ  剰余ビット
【図１】
2004342302.tif 000005